(57)【要約】      （修正有）【課題】強風で瓦が飛ぶことと、雨水が野地板まで浸水することを防ぐ瓦固定用部材及び屋根の構造を提供し、好ましくは、瓦の固定時に加わる瓦固定用釘の打ちこみ力や風圧などによる瓦桟の撓みを防ぎ、屋根の軽量化や建築コスト削減ができる屋根の構造を提供する。【解決手段】頭部側に第１の抜け止め部１３を形成し、先端側に第２の抜け止め部１４を形成し、そして第１の抜け止め部１３と第２の抜け止め部１４との間にストレート部１５を形成した軸部を有する瓦固定用部材１０で、瓦２０を瓦桟３０及び野地板４０に固定して、第１の抜け止め部１３が瓦桟の内部に位置するように、第２の抜け止め部１４が野地板の内部に位置するように、そしてストレート部１５が、瓦桟と野地板との間にスペーサにて形成された間隙部３１から野地板の内部にかけて位置するように、第１の抜け止め部１３、第２の抜け止め部１４及びストレート部１５の位置と長さを設定する。【選択図】図２
2007046417.tif 000002
【特許請求の範囲】
【請求項１】
軸部と該軸部の一端に設けた頭部と該軸部の他端に設けた先端部とを有して、
野地板と該野地板上にスペーサを介して取り付けられた瓦桟とに、瓦を固定する瓦固定用部材であって、
前記頭部側に形成された第１の抜け止め部と、前記先端部側に形成された第２の抜け止め部と、前記第１の抜け止め部と前記第２の抜け止め部との間に形成されたストレート部とを有し、
前記瓦桟及び前記野地板に前記瓦を固定した状態において、
前記第１の抜け止め部が前記瓦桟の内部に位置し、
前記第２の抜け止め部が前記野地板の内部に位置し、
かつ前記ストレート部が、前記瓦桟と前記野地板との間に前記スペーサにて形成された間隙部から前記野地板の内部にかけて位置することを特徴とする瓦固定用部材。
【請求項２】
前記第１の抜け止め部がスクリュー条部であり、前記第２の抜け止め部がリング条部であることを特徴とする請求項１に記載の瓦固定用部材。
【請求項３】
軸部と該軸部の一端に設けた頭部と該軸部の他端に設けた先端部とを有して、
野地板と該野地板上にスペーサを介して取り付けられた瓦桟とに、瓦を固定する瓦固定用部材であって、
前記頭部側に形成された抜け止め部と、該抜け止め部と前記先端部との間に形成されたストレート部とを有し、
前記瓦桟及び前記野地板に前記瓦を固定した状態において、
前記抜け止め部が前記瓦桟の内部に位置し、
かつ前記ストレート部が、前記瓦桟と前記野地板との間に前記スペーサにて形成された間隙部から前記野地板の内部にかけて位置することを特徴とする瓦固定用部材。
【請求項４】
前記抜け止め部がスクリュー条部であることを特徴とする請求項３に記載の瓦固定用部材。
【請求項５】
野地板と、該野地板上にスペーサを介して取り付けられた瓦桟と、該瓦桟に掛止された瓦と、軸部と該軸部の一端に設けた頭部と該軸部の他端に設けた先端部とを有して、前記瓦を前記瓦桟と前記野地板とに固定する瓦固定用部材とを有する屋根の構造であって、
前記瓦固定用部材が、前記頭部側に形成された第１の抜け止め部と、前記先端部側に形成された第２の抜け止め部と、前記第１の抜け止め部と前記第２の抜け止め部との間に形成されたストレート部とを有し、
前記瓦固定用部材が前記瓦を前記瓦桟及び前記野地板に固定した状態において、
前記第１の抜け止め部が前記瓦桟の内部に位置し、
前記第２の抜け止め部が前記野地板の内部に位置し、
前記ストレート部が、前記瓦桟と前記野地板との間に前記スペーサにて形成された間隙部から前記野地板の内部にかけて位置することを特徴とする屋根の構造。
【請求項６】
野地板と、該野地板上にスペーサを介して取り付けられた瓦桟と、該瓦桟に掛止された瓦と、軸部と該軸部の一端に設けた頭部と該軸部の他端に設けた先端部とを有して、前記瓦を前記瓦桟と前記野地板とに固定する瓦固定用部材とを有する屋根の構造であって、
前記瓦固定用部材が、前記頭部側に形成された抜け止め部と、該抜け止め部と前記先端部との間に形成されたストレート部とを有し、
前記瓦固定用部材が前記瓦を前記瓦桟及び前記野地板に固定した状態において、
前記抜け止め部が前記瓦桟の内部に位置し、
前記ストレート部が、前記瓦桟と前記野地板との間に前記スペーサにて形成された間隙部から前記野地板の内部にかけて位置することを特徴とする屋根の構造。
【請求項７】
野地板と、該野地板上にスペーサを介して取り付けられた瓦桟と、該瓦桟に掛止された瓦と、軸部と該軸部の一端に設けた頭部と該軸部の他端に設けた先端部とを有して前記瓦を前記瓦桟に固定する瓦固定用部材とを有する屋根の構造であって、
前記スペーサが前記瓦桟と前記野地板との間に間断なく配置され、
前記瓦固定用部材が抜け止め部を有して前記瓦を前記瓦桟に固定した状態において、
前記瓦固定用部材の先端部部が、前記瓦桟と前記野地板との間に前記スペーサで形成された間隙部に突出し、かつ前記野地板に接しないことを特徴とする屋根の構造。
【発明の詳細な説明】
【技術分野】
【０００１】
本発明は、住宅などの屋根に葺く瓦の固定用部材、及び該瓦固定用部材を用いた屋根の構造に関する。
【背景技術】
【０００２】
瓦は、屋根に葺いただけでは台風などの強風で飛ばされるおそれがあるため、釘等の部材を用いて、野地板や野地板の上面に取り付けられた瓦桟等に固定しなければならないが、瓦をストレート釘（いわゆる丸釘）で固定しても、ストレート釘は比較的抜けやすいため、必ずしも強固な固定ができるわけではない。
そこで軸部の表面にスクリュー条を形成したスクリュー釘を用いて瓦を固定すれば、スクリュー条部の作用で釘が野地板や瓦桟から抜け難くなって、強固な固定を実現できる。しかし瓦の釘孔から雨水が浸水すると、この雨水は、瓦桟及び野地板に打ち込まれた釘のスクリュー条部の谷部に沿って、瓦桟から野地板へと浸水するため、スクリュー釘は、ストレート釘と比較して野地板に腐蝕を生じさせやすい。そのためその先端が野地板まで達しない軸長のスクリュー釘を使用して、野地板への浸水を防ぐことが考えられるが、瓦や瓦桟の厚さのばらつきからスクリュー釘の先端が、瓦桟から僅かに突出して、野地板上面に敷設された防水シートを突き破り、更には野地板に刺さり、結局野地板まで浸水してしまうおそれがある。
【０００３】
そこで軸部の頭部側表面に形成されたスクリュー条部（第１の抜け止め部）と、このスクリュー条部と釘の先端部との間に形成されたリング条部（周突条、第２の抜け止め部）とを有する瓦固定用釘が提案されている（特許文献１）。かかる瓦固定用釘では、スクリュー条部が釘の抜け止め作用に最も優れて、リング条部はスクリュー条部ほどではないが釘の抜止め作用を有する一方、雨水などの浸水がスクリュー条部より少ない。
【０００４】
かかる瓦固定用釘は、瓦、瓦桟、野地板、そして野地板上面に敷設される防水シートの厚さ等に適合するように、スクリュー条部の位置と長さ、リング条部の位置と長さ、及び釘全体の長さが定められて、瓦を固定した状態において、スクリュー条部が瓦桟の内部に位置し、リング条部が野地板の内部に位置し、そしてスクリュー条部とリング条部との境界が瓦桟と野地板との境界に位置するようになっている。すなわち瓦桟内部に位置するスクリュー条部が該瓦固定用釘の瓦桟からの抜けを防止して、また野地板内部に位置するリング条部がスクリュー条部ほどではないが該瓦固定用釘の野地板からの抜けを防止して、瓦が強風で飛ばされることを防ぐともに、スクリュー条部よりも浸水の少ないリング条部が野地板への雨水の浸水を軽減している。
【０００５】
あるいは図１０に示すように、野地板１（上面に防水シートを敷設）の上面に棟から軒に向けて複数の瓦桟２ｖを取り付け、更にこれら瓦桟２ｖ上に棟と平行するように複数の瓦桟２ｈを取り付けたうえで、スクリュー釘にて瓦を瓦桟２ｈに固定する屋根の構造が知られている。こうした屋根の構造では、瓦桟２ｖの厚さ分だけ、スクリュー釘の先端部が瓦桟から突出することを許容できるから、瓦を瓦桟に強固に固定できる（スクリュー釘の先端部が瓦桟から突出したときには、先端部が突出しないときに比べて、スクリュー釘が抜け難いことが知られている）。
【特許文献１】特開２００３−２７６６９号公報
【発明の開示】
【発明が解決しようとする課題】
【０００６】
しかし前述特許文献１記載の瓦固定用釘では、瓦の表面を流れる雨水が、釘に形成されたスクリュー条部の谷部を経て、スクリュー条部とリング条部との境界に伝わり、更に該境界からリング条部へと浸水し、野地板を腐蝕させるおそれがある。また図１０に示す屋根の構造では、瓦桟を格子状に取り付けるため、多くの瓦桟を必要として、屋根の重量と屋根部分の厚さが増すること、コストや工期が増加することなどの問題に加えて、間隔Ｌで配置された瓦桟２ｖの上に固定された瓦桟２ｈの撓みを防ぐため、瓦桟２ｈを太くしなければならず、屋根の重量や建築コストが更に増加してしまうという問題を生じる。
【０００７】
本発明は、これら問題を解決するものであり、強風で瓦が飛ぶことを防ぐとともに、雨水などが野地板まで浸水することを防ぐ瓦固定用部材及び屋根の構造の提供を目的とし、好ましくは、瓦を瓦桟等に固定するときに瓦固定用釘に加わる打ちこみ力、強風で瓦に加わる風圧、及び瓦の重量などで瓦桟に撓みが生じることを防ぐとともに、屋根の軽量化や建築コスト削減ができる屋根の構造を提供することを目的とする。
【課題を解決するための手段】
【０００８】
上記目的を達成するため、本発明にかかる瓦固定用部材は、軸部と軸部の一端に設けた頭部と軸部の他端に設けた先端部とを有し、頭部側に形成された第１の抜け止め部（例えばスクリュー条部）と、先端側に形成された第２の抜け止め部（例えばリング条部）と、第１の抜け止め部と第２の抜け止め部との間に形成されたストレート部とを有して、瓦桟及び野地板に瓦を固定した状態において、第１の抜け止め部が瓦桟の内部に位置し、第２の抜け止め部が野地板の内部に位置し、かつストレート部が、前記瓦桟と前記野地板との間に前記スペーサにて形成された間隙部から前記野地板の内部にかけて位置するように構成されている（請求項１，２）。そして、かかる瓦固定用部材を用いた屋根の構造は請求項５の構成にて実現される。
【０００９】
ここでスクリュー条部は、瓦固定用部材の抜け止め作用で最も優れるが、スクリュー条部の谷部からの浸水を防止できない。リング条部は、浸水防止においてスクリュー条部に優れるがストレート部に及ばず、抜け止め作用においてスクリュー条部に及ばないがストレート部よりも優れている。ストレート部は、軸部の表面に凹凸がないから、野地板等に打ち込まれた場合、野地板等と瓦固定用部材の軸部の表面とが密着して浸水防止に最も優れるが、抜け止め作用はスクリュー条部やリング条部に及ばない。
【００１０】
すなわち瓦は、瓦固定用部材の第１の抜け止め部で瓦桟に最も強固に固定され、次いで第２の抜け止め部で野地板に強固に固定される。そして浸水防止に最も優れるストレート部が、瓦桟と野地板との間にスペーサにて形成された間隙部から野地板の内部にかけて位置して、第１の抜け止め部（瓦残内部）を経て間隙部に達した浸水が野地板内部へ浸水することを防止する（請求項１，２及び５）。
【００１１】
なお、野地板上面には通常防水シートが敷設されるから、第１の抜け止め部を経て間隙部に達した浸水は、防水シート上から野地板上方の空間に蒸発して通気路などを経て、あるいは防水シートの表面を軒に向けて流れて（間隙部は防水シートの表面を流れる浸水の流路や前記通気路にもなる）屋外に排出される。
請求項３及び４にかかる瓦固定用部材は、請求項１及び２の瓦固定用部材が有する第２の抜け止め部をストレート部としたものであり、請求項６に記載の屋根の構造は、請求項３及び４にかかる瓦固定用部材を用いた屋根の構造である。したがって請求項３，４及び６にかかる発明では、瓦は、瓦固定用部材の抜け止め部で瓦桟に強固に固定され、次いでストレート部で野地板に固定されるから、瓦固定用部材の抜け止め防止は殆ど第１の抜け止め部に依存することになるが、ストレート部は、間隙部から野地板の内部にかけて位置して、雨水の野地板内部への浸水を防ぐことができる。
【００１２】
請求項７にかかる屋根の構造では、野地板と瓦桟との間に間断なくスペーサが配置されるから、瓦の固定時に加わる瓦固定用釘の打ちこみ力や瓦に加わる風圧などによる瓦桟の撓みを防ぐことができる。また該屋根の構造では、瓦固定用部材が有する抜け止め部が、瓦桟の内部に位置して、瓦を瓦桟に強固に固定するとともに、瓦固定用部材の先端部を瓦桟から突出させて瓦固定用部材を抜け難くし、スペーサにて形成される間隙部が、瓦固定用部材の先端が野地板やその上面に敷設された防止シートに達することを防いでいる。したがって浸水が抜け止め部（瓦残内部）を経て間隙部に達しても、浸水は蒸発するなどして屋外に排出される。なお請求項３及び５にかかる屋根の構造においても、野地板と瓦桟との間に間断なくスペーサを配置すれば、瓦の固定時に加わる瓦固定用釘の打ちこみ力や瓦に加わる風圧などによる瓦桟の撓みを防ぎ得ることはいうまでもない。
【発明の効果】
【００１３】
本発明にかかる瓦固定用部材及び屋根の構造よれば、瓦を瓦固定用部材にて瓦桟、あるいは瓦桟及び野地板に強固に固定できて、瓦が強風で飛ぶことを防ぐとともに、雨水が野地板まで浸水することを防ぐことができる。また野地板と瓦桟との間にスペーサを間断なく配置することによって、野地板と瓦桟との間に強固な間隙部を形成して、瓦の固定時に加わる瓦固定用釘の打ちこみ力や風圧などによる瓦桟の撓みを防ぐとともに屋根の軽量化及び建築コスト低減を実現できる。
【発明を実施するための最良の形態】
【００１４】
以下、図面を参照して、本発明にかかる瓦固定用部材及び屋根の構造を説明する。
【実施例１】
【００１５】
図１〜図５を用いて、本発明にかかる瓦固定用部材及び屋根の構造（実施例１）を説明する。ここで図１は瓦固定用部材の一例である瓦固定用釘を例示する図であり、図２は該瓦固定用釘を用いて瓦を固定する屋根の構造（断面構造）の一例を示す図であり、図３は該瓦固定用釘のストレート部とリング条部との境界部分の拡大図であり、図４は瓦桟及びスペーサの一例を示す斜視図であり、そして図５は瓦桟を野地板上に取り付けた様子を示す図である。
【００１６】
（瓦固定用釘）
図１に示すように、瓦固定用釘１０は頭部１１及び軸部１２を有し、軸部１２は、軸部１２の表面に形成されたスクリュー条部（第１の抜け止め部、長さＬ１）１３、軸部１２の表面に形成されたリング条部（第２の抜け止め部、長さＬ２）１４、第１の抜け止め部１３と第２の抜け止め部１４との間に形成されたストレート部１５（長さＬ３）、及び尖った先端部１６を有している。ここでスクリュー条部１３は、複数のスクリュー条を有して、これらスクリュー条の間に谷部を形成している。リング条部１４は、先端部１６に向かって縮径する多数のリング条（周条）を有し（図３）、その軸方向断面形状は鋸歯状である。ストレート部１５は、軸部の表面に凹凸がなく断面円形である。なお、頭部１１とスクリュー条部１３との間の部分（図１の長さＬ４の部分）は、主に瓦の釘孔を遊貫する部分となるので、抜け止め作用を奏する必要がないから、コスト的な観点からストレート部１５と同様な形状でもよい。また瓦固定用釘１０のリング条部１４は、野地板４０に打ち込まれる部分だから、ほぼ先端部１６の直近まで形成されていることが望ましい（なお瓦固定用釘１０の先端からリング条部１４までの長さをＬ５とする）。
【００１７】
（屋根の構造）
上述した瓦固定用釘１０を用いて瓦を固定する屋根の断面構造を図２に示す（右側が棟側であり左側が軒側である）。瓦２０は、瓦固定用釘１０にて、瓦桟３０と、防水シート（ルーフィング）４１を上面に敷設した野地板４０とに固定される。瓦桟３０と野地板４０の上面に敷設された防水シート４１との間には、スペーサ３２が介在して間隙部３１が形成される（図２（ｂ））。瓦２０が瓦固定用釘１０にて瓦桟３０と野地板４０とに固定された状態では、瓦固定用釘１０は、瓦２０の釘孔２１を貫通して、スクリュー条部（第１の抜け止め部）１３が瓦桟３０の内部に打ち込まれ、リング条部（第２の抜け止め部）１４が野地板４０の内部に打ち込まれ、そして間隙部３１から野地板４０の内部にかけて、ストレート部１５が打ち込まれている。
【００１８】
例えばここで、瓦２０（陶器瓦）の厚さが２５ｍｍ、瓦桟３０の厚さが１５ｍｍ、間隙部３１の間隙長が７ｍｍ、防水シート４１の厚さが２ｍｍ、野地板４０の厚さが１２ｍｍである場合には、瓦固定用釘１０の軸部１２におけるＬ１〜Ｌ５の合計長を、瓦２０の厚さ、瓦桟３０の厚さ、間隙部３１の間隙長、防止シート４１の厚さ、及び野地板４０の厚さの合計よりも長くして、先端部１６（例えば長さ３ｍｍ）を野地板４０の下面から突出させることが望ましい。先端部１６が突出した場合と突出しない場合とを対比すると、突出した方が、より強固に瓦固定用釘１０を野地板４０に固定できるからである。
【００１９】
そして瓦固定用釘１０におけるＬ４を瓦２０の厚さ（２５ｍｍ）とほぼ同じ長さとしたうえで、Ｌ１を瓦桟３０の厚さ（１５ｍｍ）より若干長くするのが好ましい。なぜならば、瓦桟３０の内部のすべての場所にスクリュー条部１３が位置すれば、瓦固定用釘１０を瓦桟３０に最も強固に固定できるからであり、また瓦２０の釘孔２１の内部や間隙部３１にスクリュー条部１３が位置しても抜け止め作用を発揮しないからである。但しスクリュー条部１３とストレート部１５との境界１７を瓦桟３０の下面よりも若干間隙部３１内に寄せることで、スクリュー条部１３を伝わってきた浸水を瓦桟３０の内部に留めないようにして、瓦桟３０の腐食を予防することが望ましい。ここで、Ｌ４とＬ１との合計の最長は、瓦２０の厚さ、瓦桟３０の厚さ、間隙部３１の間隙長の合計である４７ｍｍである。これ以上長くなると、浸水が伝わるスクリュー条部１３の谷部が防水シート４１の内部に達してしまうからである。
【００２０】
またＬ４，Ｌ１及びＬ３の合計は、瓦２０の厚さ、瓦桟３０の厚さ、間隙部３１の間隙長、及び防止シート４１の厚さの合計（４９ｍｍ）より長く、例えば５２ｍｍとする。こうすることで、野地板４０に打ち込まれたストレート部１５（３ｍｍ）の外周面が野地板４０と密着して、野地板４０への浸水を防止することができるからである。このときリング条部１４は、野地板４０（厚さ１２ｍｍ）の内部に位置して、野地板４０に瓦固定用釘１０を強固に固定する。もちろんストレート部１５の外周面は防水シート４１とも密着するから、防水シート４１への浸水も防止される。
【００２１】
ここでストレート部１５の径ｄｓは、リング条部１４の最大径ｄ１よりも若干大きいことが望ましい（図３）。なぜならば、瓦固定用釘１０を野地板４０に打ち込むと、リング条部１４が野地板４０内に形成した内径ｄ１の釘孔に、径ｄｓのストレート部１５が打ち込まれて、ストレート部１５の外周面が野地板４０により強固に密着して、野地板４０への浸水をより効果的に防ぐことができるからである。例えば、ｄ１が２．２ｍｍのとき（ｄ２＝２．０ｍｍ）、ｄｓを２．４ｍｍとするなどである。
【００２２】
（瓦桟及びスペーサ）
図４は瓦桟３０及びスペーサ３２の一例を示す斜視図である。例えば瓦桟３０は、長手方向が３０ｍｍそして短手方向が１５ｍｍの断面を有する合成樹脂あるいは木材などの角材であり、短手方向が瓦桟３０の厚さ方向となって、瓦桟３０の下面３０ａには、スペーサ３２が接着等で強固に固着される。合成樹脂からなるスペーサ３２は、２枚の長方形の平板３２ａを平行配置するとともに、それら平板３２ａの間に、平板３２ａと直行する方向に平板３２ｂを等間隔で多数平行配置して、スペーサ３２の幅方向に多数の通気路３２ｃを形成している。
【００２３】
図５に示すように、瓦桟３０は、スペーサ３２を下側にして、防止シート４１を敷設した野地板４０上に棟と平行して多数配置され、野地板４０や垂木などに、釘などにて強固に固定される。野地板４０上に固定された瓦桟３０と野地板４０（防水シート４１）との間には、スペーサ３２が間断なく配置されて、スペーサ３２が有する平板３２ｂの高さと略等しい間隙長を有する間隙部３１が形成されて、瓦の固定時に加わる瓦固定用釘の打ちこみ力や瓦に加わる風圧などによって瓦桟３０に撓みが生じることを防止している。
【００２４】
こうして瓦２０は、瓦固定用釘１０のスクリュー条部１３にて瓦桟３０に強固に固定され、次いでリング条部１４にて野地板４０に強固に固定される。また浸水防止に優れるストレート部１５は、間隙部３１から野地板４０内部にかけて位置して、スクリュー条部１３を経て間隙部３１に達した浸水などが野地板４０の内部へ浸水することを防いでいる。間隙部３１に達した浸水は、蒸発して図示しない通気口などから屋外に排出され、あるいは野地板４０上の防水シート４１にて軒側へと導かれて屋外に排出される。
【００２５】
なお瓦固定用釘１０は、そのスクリュー条部１３、リング条部１４、ストレート部１５先端部１６および図１中のＬ４の長さが、施工における瓦２０、瓦桟３０、スペーサ３２、野地板４０及び防水シート４１の厚さ寸法に適合するように設定されて製造される。
【００２６】
（実施例１の変形例）
図６は本発明にかかる瓦固定用釘１０（実施例１）の変形例であり、図７は本発明にかかる屋根の構造（実施例１）の変形例の断面構造を示す図である。なお実施例１と同様の機能を有する構成要素には、同一の符合を附してその説明を省略する。
【００２７】
（瓦固定用釘）
図６に示すように、瓦固定用釘１０ａは、リング条部（第２の抜け止め部）を有しない点を除いて、瓦固定用釘１０と同様の構成を有している。従って瓦固定用釘１０ａにおけるストレート部１５（長さＬ３ａ）と先端部１６（長さＬ５ａ）との合計長は、図１における瓦固定用釘１０のストレート部１５（長さＬ３）、リング条部（長さＬ２）及び先端部１６を含む長さＬ５の合計長となって、野地板４０に打ち込まれる部分は、すべてストレート部１５となる。
【００２８】
（屋根の構造）
図７に示すように、瓦２０が瓦固定用釘１０ａにて瓦桟３０と野地板４０とに固定された状態では、瓦固定用釘１０ａは、瓦２０の釘孔２１を貫通して、スクリュー条部（抜け止め部）１３が瓦桟３０の内部に打ち込まれ、ストレート部１５が間隙部３１から野地板４０の内部にかけて打ち込まれている。ここで瓦固定用釘１０ａのスクリュー条部１３と、瓦桟３０及び間隙部３１との位置関係は、前述実施例１と同様である。また瓦固定用釘１０ａの先端部１６を野地板４０の下面から突出させることで、瓦固定用釘１０ａと野地板４０との固定をより強固にできることも、前述実施例１と同様である。
【００２９】
こうして瓦２０は、瓦固定用釘１０ａのスクリュー条部１３にて瓦桟３０に強固に固定され、次いでストレート部１５にて野地板４０に固定される。野地板４０への瓦固定用釘１０ａの固定は、ストレート部１５によるから実施例１ほど強固ではないが、瓦桟３０の厚さが野地板４０に比して厚いことに加えて、抜け止め作用に最も優れるスクリュー条部１３が瓦桟３０の内部に位置することから、該変形例も、瓦２０が強風などで飛ばされることを防ぐことができるとともに、浸水防止に最も優れる瓦固定用釘１０ａのストレート部１５が、間隙部３１から野地板４０の内部にかけて位置して、スクリュー条部１３を経て間隙部３１に達した雨水などが野地板４０の内部へ浸水することを防ぐことができる。なお浸水は、実施例１と同様に蒸発するなどして屋外に排出される。
【実施例２】
【００３０】
実施例２に係る屋根の断面構造を図８（軒側から見た断面構造）及び図９に示す。なお実施例１と同様の機能を有する構成要素には、同一の符合を附してその説明を省略する。
図８に示すように、瓦桟３０は、スペーサ３２、及び防水シート４１を敷設した野地板４０とともに、釘１０ｃにて垂木４２に強固に固定され（垂木４２の間隔は通常４５５ｍｍ前後である）、この瓦桟３０に、瓦固定用木ねじ（瓦固定用部材）１０ｂにて、瓦２０が固定される（なお図８においては、瓦２０を１枚だけ示す）。
【００３１】
この屋根の断面構造では、図９に示すように、瓦固定用木ねじ１０ｂは軸部に雄ねじ部（抜け止め部）１３ａを有し、瓦固定用木ねじ１０ｂの軸長は瓦２０の厚さと瓦桟３０の厚さとの合計長（４０ｍｍ）より若干長く、瓦固定用木ねじ１０ｂが瓦２０を固定した状態において、瓦固定用木ねじ１０ｂの雄ねじ部１３ａが瓦桟３０の内部のすべての場所に位置し、また瓦固定用木ねじ１０ｂの先端部１６が瓦桟３０の下面３０ａよりも間隙部３１内に突出している。なお瓦固定用木ねじ１０ｂの先端部１６が防水シート４１に突き刺さらないようにするために、瓦固定用木ねじ１０ｂの軸長は、瓦２０の厚さ、瓦桟３０の厚さ、及び間隙部３１の間隙長の合計長（４７ｍｍ）より短くなければならない。
【００３２】
この屋根の構造では、瓦２０は、釘１０ｃにて垂木４２に強固に固定された瓦桟３０に、瓦固定用木ねじ１０ｂにて強固に固定されるから、また瓦固定用木ねじ１０ｂの先端が瓦桟３０の下面３０ａから突出して瓦固定用木ねじ１０ｂと瓦桟３０との固定を強固なものとしているから、瓦２０が強風などで飛ばされることを防ぐことができるとともに、瓦固定用木ねじ１０ｂの雄ねじ部１３ａが有する谷部を経て間隙部３１に達した浸水は、間隙部３１で蒸発などして屋外に排出されて、野地板４０への浸水が防止される。
【００３３】
なお本発明の瓦固定用部材は、軸部と軸部の一端に設けた頭部と軸部の他端に設けた先端部とを有して、本発明の抜け止め部を有するものであれば、瓦固定用釘及び瓦固定用木ねじに限定されない。請求項１，２及び５における第１の抜け止め部及び第２の抜け止め部は、同様の作用効果を有するものであれば、スクリュー条部及びリング条部に限定されず、請求項３，４及び６における抜け止め部は、同様の作用効果を有するものであれば、スクリュー条部部に限定されず、請求項７における抜け止め部は、同様の作用効果を有するものであれば、雄ねじ部に限定されない。スペーサは瓦桟と野地板との間に間隙部を形成するものであれば、各実施例におけるスペーサに限定されない。
【００３４】
また図８（実施例２）に示す、瓦桟、スペーサ、野地板、及び垂木の位置関係と、これら各構成要素間の固定とについては、それぞれの実施例における瓦固定用部材の相違を除いて、他の実施例において適用できることはいうまでもない。
【図面の簡単な説明】
【００３５】
【図１】本発明にかかる瓦固定用釘（実施例１）の一例を示す図である。
【図２】実施例１における屋根の構造（断面構造）の一例である。
【図３】図１の瓦固定用釘のストレート部とリング条部との境界部分を拡大して示す図である。
【図４】瓦桟とスペーサの一例を示す斜視図である。
【図５】瓦桟を野地板上に取り付けた様子を示す図である。
【図６】瓦固定用釘（実施例１）の変形例を示す図である。
【図７】実施例１の変形例における屋根の構造（断面構造）の一例である。
【図８】実施例２にかかる屋根の構造における瓦桟、スペーサ、野地板、及び垂木の位置関係とこれら各構成要素間の関係の一例を示す図である。
【図９】実施例２における屋根の構造（断面構造）の一例である。
【図１０】従来の屋根の構造における瓦桟の配置の一例を示す図である。
【符号の説明】
【００３６】
１０    瓦固定用釘（瓦固定用部材）
１０ａ  瓦固定用釘（瓦固定用部材）
１０ｂ  瓦固定用木ねじ（瓦固定用部材）
１１    頭部
１２    軸部
１３    スクリュー条部（第１の抜け止め部、抜け止め部）
１３ａ  雄ねじ部（抜け止め部）
１４    リング条部（第２の抜け止め部）
１５    ストレート部
１６    先端部
２０    瓦
３０    瓦桟
３１    間隙部
３２    スペーサ
４０    野地板
【図１】
2007046417.tif 000003
【図２】
2007046417.tif 000004
【図３】
2007046417.tif 000005
【図４】
2007046417.tif 000006
【図５】
2007046417.tif 000007
【図６】
2007046417.tif 000008
【図７】
2007046417.tif 000009
【図８】
2007046417.tif 000010
【図９】
2007046417.tif 000011
【図１０】
2007046417.tif 000012
【手続補正書】
【提出日】平成18年9月27日(2006.9.27)
【手続補正１】
【補正対象書類名】明細書
【補正対象項目名】００１２
【補正方法】変更
【補正の内容】
【００１２】
請求項７にかかる屋根の構造では、野地板と瓦桟との間に間断なくスペーサが配置されるから、瓦の固定時に加わる瓦固定用釘の打ちこみ力や瓦に加わる風圧などによる瓦桟の撓みを防ぐことができる。また該屋根の構造では、瓦固定用部材が有する抜け止め部が、瓦桟の内部に位置して、瓦を瓦桟に強固に固定するとともに、瓦固定用部材の先端部を瓦桟から突出させて瓦固定用部材を抜け難くし、スペーサにて形成される間隙部が、瓦固定用部材の先端が野地板やその上面に敷設された防水シートに達することを防いでいる。したがって浸水が抜け止め部（瓦残内部）を経て間隙部に達しても、浸水は蒸発するなどして屋外に排出される。なお請求項３及び５にかかる屋根の構造においても、野地板と瓦桟との間に間断なくスペーサを配置すれば、瓦の固定時に加わる瓦固定用釘の打ちこみ力や瓦に加わる風圧などによる瓦桟の撓みを防ぎ得ることはいうまでもない。
【手続補正２】
【補正対象書類名】明細書
【補正対象項目名】００１８
【補正方法】変更
【補正の内容】
【００１８】
例えばここで、瓦２０（陶器瓦）の厚さが２５ｍｍ、瓦桟３０の厚さが１５ｍｍ、間隙部３１の間隙長が７ｍｍ、防水シート４１の厚さが２ｍｍ、野地板４０の厚さが１２ｍｍである場合には、瓦固定用釘１０の軸部１２におけるＬ１〜Ｌ５の合計長を、瓦２０の厚さ、瓦桟３０の厚さ、間隙部３１の間隙長、防水シート４１の厚さ、及び野地板４０の厚さの合計よりも長くして、先端部１６（例えば長さ３ｍｍ）を野地板４０の下面から突出させることが望ましい。先端部１６が突出した場合と突出しない場合とを対比すると、突出した方が、より強固に瓦固定用釘１０を野地板４０に固定できるからである。
【手続補正３】
【補正対象書類名】明細書
【補正対象項目名】００２０
【補正方法】変更
【補正の内容】
【００２０】
またＬ４，Ｌ１及びＬ３の合計は、瓦２０の厚さ、瓦桟３０の厚さ、間隙部３１の間隙長、及び防水シート４１の厚さの合計（４９ｍｍ）より長く、例えば５２ｍｍとする。こうすることで、野地板４０に打ち込まれたストレート部１５（３ｍｍ）の外周面が野地板４０と密着して、野地板４０への浸水を防止することができるからである。このときリング条部１４は、野地板４０（厚さ１２ｍｍ）の内部に位置して、野地板４０に瓦固定用釘１０を強固に固定する。もちろんストレート部１５の外周面は防水シート４１とも密着するから、防水シート４１への浸水も防止される。
【手続補正４】
【補正対象書類名】明細書
【補正対象項目名】００２３
【補正方法】変更
【補正の内容】
【００２３】
図５に示すように、瓦桟３０は、スペーサ３２を下側にして、防水シート４１を敷設した野地板４０上に棟と平行して多数配置され、野地板４０や垂木などに、釘などにて強固に固定される。野地板４０上に固定された瓦桟３０と野地板４０（防水シート４１）との間には、スペーサ３２が間断なく配置されて、スペーサ３２が有する平板３２ｂの高さと略等しい間隙長を有する間隙部３１が形成されて、瓦の固定時に加わる瓦固定用釘の打ちこみ力や瓦に加わる風圧などによって瓦桟３０に撓みが生じることを防止している。